(57)【要約】【課題】ファスナーアダプターを接続するためのファスナーアダプター。【解決手段】このファスナーアダプターは、外側部材と内側部材とを有し、この内側部材は、外側部材と内側部材とが、共働して第１のポケットと第２のポケットとを形成するように、所定の角度で外側部材に装着されている。この第１のポケットと第２のポケットとの少なくとも一方は、全てフック状のポケットと全てループ状のポケットとの一方を形成している。【選択図】  図１
2007152092.tif 000002
【特許請求の範囲】
【請求項１】
第１の端部と、第２の端部と、外面と、フックタイプの材料を有する内面とを備えた第１のストラップ部材と、
互いに対向した第１の面と第２の面とを備えた第２のストラップ部材とを具備し、
前記第１の面と第２の面とは、フックタイプの材料を有し、また、前記第２のストラップ部材は、第１のストラップ部材の前記第１の端部と第２の端部との間で、前記内面に装着されている、ファスナーストラップを互いに接続するためのファスナーアダプター。
【請求項２】
前記第２の部材の第１の面と、前記第１の部材の内面の一部分とは、ループ状の材料に装着するように、全てフック状の第１のポケットを形成している請求項１のファスナーアダプター。
【請求項３】
前記第２の部材の第２の面と、前記第１の部材の内面の一部分とは、ループ状の材料に装着するように、全てフック状の第２のポケットを形成している請求項２のファスナーアダプター。
【請求項４】
前記第１の部材の外面に装着されたラミネート層をさらに具備している請求項１のファスナーアダプター。
【請求項５】
前記ラミネート層は、表面表示を有している請求項４のファスナーアダプター。
【請求項６】
前記表面表示は、識別用のマーキングを有している請求項５のファスナーアダプター。
【請求項７】
前記表面表示は、指示用のマーキングを有している請求項５のファスナーアダプター。
【請求項８】
前記第１のポケットと第２のポケットとに摩擦装着される第１の端部と第２の端部とを有した連続的なファスナーストラップと組み合わされる請求項３のファスナーアダプター。
【請求項９】
前記第１のポケットと第２のポケットとにそれぞれ摩擦装着される第１のファスナーストラップと第２のファスナーストラップと組み合わされる請求項３のファスナーアダプター。
【請求項１０】
前記第１のストラップ部材と第２のストラップ部材とは、単一で一体的なストラップで形成されている請求項１のファスナーストラップ。
【請求項１１】
外側部材と、
内側部材とを具備し、
この内側部材は、前記外側部材と内側部材とが、共働して第１のポケットと第２のポケットとを形成するように、前記外側部材に所定の角度で装着されており、前記第１のポケットと第２のポケットとの各々は、同じタイプの摩擦装着性の材料を有する１対の装着面を与えているファスナーアダプター。
【請求項１２】
前記摩擦装着性の材料は、ループ状若しくはフック状の材料である請求項１１のファスナーアダプター。
【請求項１３】
前記外側部材の外面に装着されたラミネート層をさらに具備する請求項１２のファスナーアダプター。
【請求項１４】
前記ラミネート層は、様々な表示を有している請求項１３のファスナーアダプター。
【請求項１５】
前記第１のポケットと第２のポケットとの摩擦性の材料に装着するように、相補的な摩擦装着性の材料を有する１つ以上のファスナーストラップと組み合わされる請求項１２のファスナーアダプター。
【請求項１６】
ファスナーアダプターの前記外側部材と内側部材とは、前記ファスナーストラップに装着されたときに、ほぼ平坦な状態であり得る請求項１５の組み合わせ体。
【請求項１７】
前記外側部材と内側部材とは、可撓性である請求項１１のファスナーアダプター。
【請求項１８】
前記外側部材と内側部材とは、単一で一体的な部材で形成されている請求項１１のファスナーアダプター。
【請求項１９】
外側部材と、
内側部材とを具備し、
この内側部材は、前記外側部材と内側部材とが、共働して第１のポケットと第２のポケットとを形成するように、前記外側部材に所定の角度で装着されており、前記第１のポケットと第２のポケットとの少なくとも一方は、全てフック状のポケットと全てループ状のポケットの一方を形成しているファスナーアダプター。
【請求項２０】
前記第１のポケットと第２のポケットとの他方は、全てフック状のポケットと全てループ状のポケットとの他方を形成している請求項１９のファスナーアダプター。
【請求項２１】
前記第１のポケットと第２のポケットとの他方は、フック状の材料とループ状の材料の互いに対向した面を有するポケットを形成している請求項１９のファスナーアダプター。
【請求項２２】
前記外側部材と内側部材とは、単一で一体的な部材で形成されている請求項１９のファスナーアダプター。
【発明の詳細な説明】
【技術分野】
【０００１】
本発明は、ファスナーアダプターに関する。
【背景技術】
【０００２】
フック状並びにループ状のストラップのシステムのような、摩擦を基礎にした様々な装着システムが、足、腕、手のブレースのような様々な外部のアライメント若しくはサポート用のディバイスや、他の医療若しくは整形外科用のディバイスの調節可能な装着を果たすか与えるために使用されている。
【発明の開示】
【発明が解決しようとする課題】
【０００３】
既知のファスナーアダプターは、意図された目的に対して満足し得るものであるが、さらに、様々な装着システムにより容易かつ調節可能に使用されることのできるファスナーアダプターの必要性がある。
【課題を解決するための手段】
【０００４】
本発明の教示は、ファスナーストラップを接続するためのファスナーアダプターを提供している。このファスナーアダプターは、第１の端部と第２の端部とを有する第１のストラップ部材と、この第１のストラップ部材の第１の端部と第２の端部との間で第１のストラップ部材に装着された第２のストラップ部材とを有している。第１のストラップ部材は、フックタイプの材料を有した内面を備えている。第２のストラップ部材は、フックタイプの材料を有し、かつ互いに対向した第１の面と第２の面とを有している。
【０００５】
本発明の教示は、また、外側部材と内側部材とを有し、この内側部材は、外側部材と内側部材とが共働して第１のポケットと第２のポケットとを形成するように、所定の角度で外側部材に装着されているファスナーアダプターを提供している。第１のポケットと第２のポケットとの各々は、同じタイプの摩擦装着性の材料を有する１対の装着面を与えている。
【０００６】
他の態様では、本発明の教示は、外側部材と内側部材とを有し、この内側部材は、外側部材と内側部材とが、共働して第１のポケットと第２のポケットとを形成するように所定の角度で外側部材に装着され、第１のポケットと第２のポケットとの少なくとも一方は、全てフック状のポケットと全てループ状のポケットとの一方を形成しているファスナーアダプターを提供している。
【０００７】
本発明の更なる適用範囲は、以下に与えられている詳細な説明から明らかになるであろう。この詳細な説明並びに特定の例は、図面のみを説明するように意図されたものであって、本発明の範囲を限定するように意図されたものではないことを理解すべきである。
【発明を実施するための最良の形態】
【０００８】
以下の説明は、本質的に単なる一例であって、本発明、本発明の出願、若しくは使用を限定するように意図されたものではない。
【０００９】
図１を参照すると、例示的なファスナーアダプター１００が、本教示に従って示されている。このファスナーアダプター１００は、第１の端部１０４と、第２の端部１０６と、内面１１０と、外面１０８とを有する第１のストラップ部材１０２を備えている。このファスナーアダプター１００は、また、互いに対向した第１の面１１４と第２の面１１６とを有する第２のストラップ部材１１２を備えている。
【００１０】
図１，１Ａ，並びに１Ｂを参照すると、前記第２のストラップ部材１１２は、第１のストラップ部材１０２の第１の端部１０４と第２の端部１０６との間で、第１のストラップ部材１０２に対して所定の角度で、第１のストラップ部材１０２の内面１１０に装着されることができる。図１Ｃを参照すると、第２のストラップ部材１１２は、単一で連続的なストラップが、両ストラップ部材１０２，１１２を形成するように、第１のストラップ部材１０２と一体的であることができる。
【００１１】
図１ないし４を参照すると、前記第１のストラップ部材１０２の内面１１０全体、若しくは、第２のストラップ部材１１２の各側面の部分は、Ｖｅｌｃｒｏ（登録商標）などでみられるように、ループタイプの材料１４０のような相補的な装着材料に留められるのに適した、例えばフックタイプの材料１２０のような単一タイプの摩擦性の装着材料、若しくは、同様の摩擦性の装着ファスナーを有することができる。同様に、第２のストラップ部材１１２の第１，第２の面１１４，１１６、若しくはこれらの部分は、また、フックタイプの装着材料１２０と同様のタイプの摩擦性の装着材料を有することができる。図３を参照すると、第１のストラップ部材１０２の内面１１０は、第２のストラップ部材１１２の第１，第２の面１１４，１１６と共働して、全てフック状の第１，第２のポケット１２２，１２４を形成することができる。これらポケットは、第１，第２の装着端部１３２，１３４を有する単一で連続的なストラップ１３０と装着するのに適しており、各装着端部の両側には、ループ状の装着面１４０が存在している。単一のストラップ１３０の代わりに、対応した装着端部１３２，１３４を有した２つ（若しくはこれ以上）のストラップ１３０ａ，１３０ｂが、使用されることもできる。
【００１２】
図３Ａを参照すると、前記連続的なストラップ１３０（若しくは各ストラップ１３０ａ，１３０ｂ）は、２重、３重、若しくは、それ以上の層のストラップであり得る。このストラップの両側には、第１のポケット１２２若しくは第２のポケット１２４と装着するようなループ状の装着面１４０が存在している。また、このストラップは、例えば、互いに対向したフック状の面とループ状の面との摩擦装着により、若しくは前記端部１３２，１３４のところで一緒に接着されるか縫い合わされることにより、互いに装着するように共働可能であり、互いに対向した内面１４２を有している。これら互いに対向した内面１４２は、互いに完全に非装着された状態のままであることができる。
【００１３】
ファスナーアダプター１００が、ループ状の材料１４０の少なくとも１つの面を与えるファスナーストラップ１３０，１３０ａ，１３０ｂの様々な組み合わせにより使用され得ることは理解されるであろう。１つ以上のファスナーアダプター１００は、例えば変形性関節症の痛み、骨折のサポート、若しくは様々な奇形並びにずれの矯正を含む様々な慢性若しくは外傷の症状に対して装着され得る腕、足、手、又は他のブレースのような様々な医療用の固定/拘束処置、若しくは整形外科並びに他の医療ディバイスに対して必要とされ得るように、複雑なファスナーシステムで使用されることができる。
【００１４】
図１を参照すると、ファスナーアダプター１００の第１，第２のポケット１２２，１２４とが、また、ループの代わりにフック状の相補的な装着面を有するファスナーストラップ１３０に装着するように、フックタイプの材料１２０ではなく、全てループタイプの材料１４０で形成され得ることは理解されるであろう。フック状の材料１２０とループ状の材料１４０との他の組み合わせは、図１Ａないし１Ｃに示されているように、第１，第２のポケット１２２，１２４に対して使用されることができる。即ち、第１，第２のポケット１２２，１２４の各々は、全てフック状若しくは全てループ状のポケットであるか、第１，第２のポケット１２２，１２４の一方は、全てフック状のポケットで、他方は、全てループ状のポケットであるか、第１，第２のポケットの一方は、フック状とループ状とが組み合わされた材料からなり、互いに対向した面は、異なる（別の）フック状並びにループ状の材料を有している。例えば、図１Ａを参照すると、第１，第２のポケット１２２，１２４の一方は、全てフック状の材料１２０（若しくは全てループ状の材料１４０）で形成されることができ、また、第１，第２のポケット１２２，１２４の他方は、フック状の材料１２０とループ状の材料１４０とで形成されることができる。図１Ｂを参照すると、第１，第２のポケットの一方は、全てループ状の材料１４０（全てフック状の材料１２０）で全体的に形成されることができ、また、第１，第２のポケット１２２，１２４の他方は、反対に、全てフック状の材料１２０（若しくは全てループ状の材料１４０）で全体的に形成されることができる。図１Ｃを参照すると、両ポケット１２２，１２４は、全てフック状の材料１２０で形成されたように示されているが、図１Ａ並びに１Ｂに関連して上述されたフック状の材料１２０とループ状の材料１４０との組み合わせが、また、図１Ｃに示されたファスナーアダプター１００に対して使用されることもできる。
【００１５】
前記第１，第２のストラップ部材１０２，１１２は、布、プラスチック、若しくは他の可撓性並びに変形可能な材料で形成されたタブ若しくはストラップ部分であり得る。これらタブ若しくはストラップ部分に対して、上述されたようなフック状若しくはループ状の材料が、接着剤、若しくは他のボンディング又はステッチの技術を使用して、装着されることができる。さらに、このファスナーアダプター１００は、図４に示されているように、１つ以上のファスナーストラップ１３０の２つの装着端部１３２，１３４を接続するとき、ファスナーストラップ１３０の嵩を実質的に増加することなく、ほぼ平坦であるように構成されることができる。
【００１６】
図２を参照すると、可撓性のラミネート層１２６が、前記第１のストラップ部材１０２の外面１０８に装着されることができる。このラミネート層１２６は、様々な表示１４８がエンボスされるかマークされ得る外面１５０を有することができる。この表示１４８は、例えば、美術的に満足できるデザイン並びにテクスチャー、並びに/若しくは、ブランド/供給源を識別するような機能的なマーキング、矢印、取り扱い説明若しくはその他の情報のマーキング、これらの組み合わせを有することができる。これに関しては、ファスナーアダプター１００は、表示１４８が、ディバイスの接続を完了させるための指示を与えるように、サポート/固定/矯正のディバイス（図示されず）の１つ以上のファスナーストラップ１３０に少なくとも部分的に予め組み合わされることができる。
【００１７】
以上の説明は、本発明の単なる例示的な仕組みを開示して述べている。当業者は、様々な修正、変形、変更が、請求項に規定されているような本発明の精神並びに範囲から逸脱することなく果たされうることを、このような説明と添付図面又は請求項とから容易に理解するであろう。
【図面の簡単な説明】
【００１８】
【図１】本発明の教示に従ったファスナーアダプターの側面図である。
【図１Ａ】本発明の教示に従ったファスナーアダプターの側面図である。
【図１Ｂ】本発明の教示に従ったファスナーアダプターの側面図である。
【図１Ｃ】本発明の教示に従ったファスナーアダプターの側面図である。
【図２】本発明の教示に従ったファスナーアダプターの上面図である。
【図３】１つ若しくは２つのファスナーストラップと装着するように示され、本発明の教示に従ったファスナーアダプターの斜視図である。
【図３Ａ】複数の層のストラップを示している。
【図４】１つ若しくは２つのファスナーストラップに装着するように示され、本発明の教示に従ったファスナーアダプターの側面図である。
【符号の説明】
【００１９】
１００…ファスナーアダプター、１０２…第１のストラップ部材、１０４…第１の端部、１０６…第２の端部、１０８…外面、１１０…内面、１１２…第２のストラップ部材１１２、１１４…第１の面、１１６…第２の面。
【図１】
2007152092.tif 000003
【図１Ａ】
2007152092.tif 000004
【図１Ｂ】
2007152092.tif 000005
【図１Ｃ】
2007152092.tif 000006
【図２】
2007152092.tif 000007
【図３】
2007152092.tif 000008
【図３Ａ】
2007152092.tif 000009
【図４】
2007152092.tif 000010
【外国語明細書】
2007152092000001.pdf